(57)【要約】【課題】外径太さの異なる排水管に対応してその周囲を覆い、集水ますからの排水の跳ね返りや飛散等を防止することの可能な排水管の取り付け構造を提供する。【解決手段】建物の壁面Ｗに突設された排水管３を集水ます２に取り付けるための構造であって、該取り付け構造１は壁面Ｗに固定される壁面固定部１１と上記集水ます２に設けられた排水管挿入孔２１に装着される筒体部１２とからなり、該筒体部１２はその内部を排水管３が挿通するとともに、その端部に跳水防止用ゴムパッキン１３が設けられる。【選択図】図１
2007002496.tif 000002
【特許請求の範囲】
【請求項１】
建物の壁面に突設された排水管を集水ますに取り付けるための構造であって、該取り付け構造は壁面に固定される壁面固定部と上記集水ますに設けられた排水管挿入孔に装着される筒体部とからなり、該筒体部はその内部を排水管が挿通するとともに、その端部には跳水防止用ゴムパッキンが設けられた排水管の取り付け構造。
【請求項２】
上記跳水防止用ゴムパッキンはゴムパッキンの略中央部から周方向に向けて放射状に切り込みを入れて形成した三角形状パッキンの連続体からなり、上記略中央部を排水管が挿通する自由孔とされた請求項１に記載の排水管の取り付け構造。
【請求項３】
上記壁面固定部と筒体部と跳水防止用ゴムパッキンとを左右に等分割するとともに、各分割体が壁面固定部上部に設けられた支点を中心として揺動自在とされた請求項１に記載の排水管の取り付け構造。
【発明の詳細な説明】
【技術分野】
【０００１】
本発明は、建物の壁面に突設された排水管を集水ますに取り付けるための排水管の取り付け構造に関する。
【背景技術】
【０００２】
従来、バルコニーや陸屋根等からの雨水を排出するための排水管を建物の壁面を貫通して設け、この排水管を集水ますに取り付け、排水する構造は種々知られており、例えば、下記特許文献１に記載の技術があげられる。下記特許文献１には、その第１図、第２図に示されているように、排水管２の外側に取付筒体３を被嵌して該取付筒体３を壁面１に固定し、上記取付筒体３の外側に、排水ます本体４より側方へ突設される接続筒体５を嵌合接続してなる排水ます取付装置において、取付筒体３と排水管２との隙間に、この隙間を密閉するパッキン材６、７を介設するとともに、取付筒体３の壁面１側の内周縁に全周に亘る内鍔凸起８が突設してなる排水ます取付装置が開示されている。
【特許文献１】実録第２５５５７４７号公報（第１〜３頁、第１図、第２図）
【発明の開示】
【発明が解決しようとする課題】
【０００３】
しかしながら、特許文献１に記載の構造では、施工現場によって外径が異なる排水管の太さに合わせて施工することは困難であり、他の径を有する排水管に合う取り付け構造等をその都度準備する必要がある。本発明はこのような問題を解決して、施工現場によって異なる排水管の太さに対応して取り付けることができるとともに、排水管と、集水ますに設けられた排水管挿入孔との隙間から、排水の跳ね返りや飛散等、跳水を防ぐことの可能な排水管の取り付け構造を提供することを、その課題とする。
【課題を解決するための手段】
【０００４】
上記課題を解決するために、本発明においては、つぎのような技術的手段を講じている。すなわち、本発明によれば、建物の壁面に突設された排水管を集水ますに取り付けるための構造であって、該取り付け構造は壁面に固定される壁面固定部と上記集水ますに設けられた排水管挿入孔に装着される筒体部とからなり、該筒体部はその内部を排水管が挿通するとともに、その端部に跳水防止用ゴムパッキンが設けられた排水管の取り付け構造が提供される。
【０００５】
上記跳水防止用ゴムパッキンはゴムパッキンの略中央部から周方向に向けて放射状に切り込みを入れて形成した三角形状パッキンの連続体からなり、上記略中央部は排水管が挿通する自由孔とされる。上記ゴムパッキンとしては、とくに限定されないが、耐水性に優れ、可撓性のある合成ゴム製パッキンが好ましく用いられる。また、上記壁面固定部と筒体部と跳水防止用ゴムパッキンとを左右に等分割するとともに、各分割体が壁面固定部上部に設けられた支点を中心として揺動自在とする形態としてもよい。
【発明の効果】
【０００６】
請求項１に記載の発明にかかる排水管の取り付け構造は上記のとおりであり、集水ますに設けられた排水管挿入孔に装着される筒体部と壁面固定部とからなり、該筒体部はその内部を排水管が挿通するとともに、その端部に跳水防止用ゴムパッキンが設けられているため、施工現場によって排水管の径が異なっても、上記筒体部内を挿通する限り、種々の太さの排水管に対応することができる。また、壁面固定部を壁面にビス固定することにより、竪樋控え金具等を介することなく排水管の取り付け構造自体を壁面にしっかりと固定することができる。
【０００７】
上記跳水防止用ゴムパッキンはゴムパッキンの略中央部から周方向に向けて放射状に切り込みを入れて形成した三角形状パッキンの連続体からなり、上記略中央部は排水管が挿通する自由孔とされているため、排水管の径が異なってもそれに対応して三角形状パッキンの連続体が追随し、排水管の周囲を覆って集水ますからの排水の跳ね返りや飛散等、跳水を防止し、壁面等が汚れることを防ぐ。
【０００８】
上記壁面固定部と筒体部と跳水防止用ゴムパッキンとを左右に等分割するとともに、各分割体が壁面固定部上部に設けられた支点を中心として揺動自在とされているため、排水管がエルボを延設したＬ型排水管等の場合のように、筒体部の内部を挿通させることが困難なとき、上記左右各分割体を揺動させて開き、上記Ｌ型排水管を挟むようにして取り付けることが可能となる。
【発明を実施するための最良の形態】
【０００９】
以下、本発明の実施形態について図面を参照して、詳細に説明する。図１は、本発明にかかる排水管の取り付け構造の第１実施形態の構成を示す斜視図である。図１から明らかなように、上記排水管の取り付け構造１は、図外壁面に固定される壁面固定部１１と筒体部１２とからなり、筒体部１２は集水ます２に設けられた排水管挿入孔２１に装着されるとともに、その端部には跳水防止用ゴムパッキン１３が設けられている。また、壁面固定部１１にはビス孔１１１が穿たれ、ビス孔１１１を挿通するビスにより、上記排水管の取り付け構造１は図外壁面にしっかりと固定される。
【００１０】
上記跳水防止用ゴムパッキン１３は、図１に示されているように、ゴムパッキンの略中央部から周方向に向けて放射状に切り込みを入れて形成した三角形状パッキン１３１の連続体からなり、その略中央部は排水管３が挿通する自由孔１４とされている。
【００１１】
図２は、上記排水管の取り付け構造１を壁面Ｗに固定用ビスＢで固定した状態を示す部分断面側面図である。壁面Ｗから突出した排水管３は、筒体部１２の内部を挿通するとともに、自由孔１４を貫通してその先端部は図１に示す集水ます２に設けられた排水管挿入孔２１に挿入される。このとき、排水管３の太さが施工条件によって異なっても三角形状パッキン１３１が自由に追随して排水管３を覆い、排水管３と排水管挿入孔２１との隙間からの排水の跳ね返りや飛散等、跳水が周囲に飛散し、壁面Ｗ等が汚れることを防ぐ。
【００１２】
図３（ａ）は本発明にかかる排水管の取り付け構造の第２実施形態を示す正面図である。図３（ａ）に示すように、第２実施形態にかかる排水管の取り付け構造４は、図１に示す壁面固定部１１と筒体部１２と跳水防止用ゴムパッキン１３とを左右に等分割して左分割体４１と右分割体４２とし、壁面固定部上部に設けられた支点４３を中心としてそれぞれ、揺動自在とされている。図３（ｂ）は左分割体４１と右分割体４２とをそれぞれ揺動させ開いた状態を示す正面図である。このようにすることによって、排水管３にエルボが接続された図外Ｌ型排水管等の場合のように、第１実施形態の排水管の取り付け構造１を用いて取り付けることが困難なとき、図３（ｂ）に示すように左右各分割体４１、４２を開き、上記Ｌ型排水管を挟むようにして作業性よく取り付けることができる。
【図面の簡単な説明】
【００１３】
【図１】本発明の第１実施形態にかかる排水管の取り付け構造の構成を示す斜視図である。
【図２】上記第１実施形態にかかる排水管の取り付け構造を壁面にビス固定した状態を示す部分断面側面図である。
【図３】（ａ）本発明の第２実施形態にかかる排水管の取り付け構造を示す正面図である。（ｂ）上記第２実施形態にかかる排水管の取り付け構造を左右に開いた状態を示す正面図である。
【符号の説明】
【００１４】
１          第１実施形態にかかる排水管の取り付け構造
１１        壁面固定部
１１１      ビス孔
１２        筒体部
１３        跳水防止用ゴムパッキン
１３１      三角形状パッキン
１４        自由孔
２          集水ます
２１        排水管挿入孔
３          排水管
４          第２実施形態にかかる排水管の取り付け構造
４１        左分割体
４２        右分割体
４３        支点
Ｗ          壁面
Ｂ          固定用ビス
【図１】
2007002496.tif 000003
【図２】
2007002496.tif 000004
【図３】
2007002496.tif 000005